(57)【特許請求の範囲】
【請求項１】
カード型情報記録媒体と、
その外周の形状が、前記カード型情報記録媒体の外周の形状と同一で、カード型情報記録媒体の情報読み出し面側の片面に重ね合わされたカードと、
前記カード型情報記録媒体の読み出し面側に設けられた情報記録部と、
前記情報記録部の中央に設けられたドライブ孔と、
前記カード型情報記録媒体の長手方向に相対して位置し、前記情報記録部の外周部分である一対の円弧状段差部と、
前記カード型情報記録媒体の読み出し面と反対の面に設けられた化粧面と、
前記カードにおける前記カード型情報記録媒体の情報読み出し面側に対する対向面に突起状にして設けられ、前記カード型情報記録媒体の円弧状段差部に係脱可能に係合する係止手段と、
を有し、
該係止手段を介して前記カードとカード型情報記録媒体が分離可能に取り付けられていることを特徴とするカード付カード型情報記録媒体。
【請求項２】
カード型情報記録媒体と、
その外周の形状が、前記カード型情報記録媒体の外周の形状と同一で、カード型情報記録媒体の情報読み出し面側の片面に重ね合わされたカードと、
前記カード型情報記録媒体の読み出し面側に設けられた情報記録部と、
前記情報記録部の中央に設けられたドライブ孔と、
前記カード型情報記録媒体の長手方向に相対して位置し、前記情報記録部の外周部分である一対の円弧状段差部と、
前記カード型情報記録媒体の読み出し面と反対の面に設けられた化粧面と、
前記カードに設けられ、前記カード型情報記録媒体のドライブ孔と係脱可能に係合し、かつ、前記化粧面の色合いや模様などに連続する装飾が施された化粧円板と、
を有し、
該化粧円版を介して前記カードとカード型情報記録媒体が分離可能に取り付けられていることを特徴とするカード付カード型情報記録媒体。
【発明の詳細な説明】
【技術分野】
【０００１】
本発明はカード付カード型情報記録媒体に関するものである。
【背景技術】
【０００２】
近年、記録容量の大きさや安価で大量生産にも適しているなどの理由から、ＣＤ−ＲＯＭやＤＶＤ−ＲＯＭなどのようにドーナツ状とした情報記録部の中央にドライブ孔を有し、そのドライブ孔を中心にした高速回転の下で光学的に情報を記録したり記録情報を読み出したりできるようにした円盤状の情報記録媒体が広く利用され、この情報記録媒体に対応したドライブ装置を標準装備するパソコンも広く普及してきている。そして、このような現状から、前記ドライブ装置を利用した情報読み出し方式に合致する情報記録媒体であれば、身近なパソコンで情報の表示が簡単に行なえることになり、このため、カード型ＣＤ−ＲＯＭなどのように形状をカード型とした情報記録媒体が利用され始めている。
【０００３】
上記カード型情報記録媒体は通常のドーナツ形状のものと比較すれば情報の記録容量が小さいものの、会社案内や商品紹介などの情報を文字情報、静止画情報、動画情報などとして記録できるため、紙に印刷してなるパンフレットやカタログなどと比較すれば格段に多量の情報を提供できる記録媒体であって、前述の会社案内や商品紹介などの情報を提供する場合に有利であり、取り扱いも簡単で携帯もし易いものである。
さらに、カード型情報記録媒体の大きさにおいて、名刺サイズであるならば名刺用として、またトレーディングカードサイズならばトレーディングカード用として提供されている収納ケース、収納袋、各種カード用の文房具用品や事務用品などがそのまま使用可能となる。
【発明の開示】
【発明が解決しようとする課題】
【０００４】
しかしながら、カード型情報記録媒体が小型であってその取り扱いが容易であることから、逆に電子情報記録媒体を取り扱う場合の注意が払われ難くなり、情報読み出し面側で表出している情報記録部が汚損されたり傷付いたりするという問題が発生し、適正な情報の読み出しが行なえないという不都合が発生している。勿論、情報記録部を保護するために専用のハードケースを用いることも考えられるが、このハードケースにカード型情報記録媒体を収納してしまうと、取り扱いが容易であるという点や既存の収納ケースや収納袋などが利用できるという利点を大きく損なうことから、ハードケースを用いていないのが現状である。
そこで、本発明は上記事情に鑑み、カード型ＣＤ−ＲＯＭなどのカード型の情報記録媒体の情報読み出しを行なう情報記録部を簡単な構成で、かつカード型情報記録媒体の利便性を損なうことなく保護することを課題として、カード型情報記録媒体の使い勝手をより向上させることを目的とするものである。
【課題を解決するための手段】
【０００５】
本発明は上記課題を考慮してなされたもので、カード型情報記録媒体と、その外周の形状が、前記カード型情報記録媒体の外周の形状と同一で、カード型情報記録媒体の情報読み出し面側の片面に重ね合わされたカードと、前記カード型情報記録媒体の読み出し面側に設けられた情報記録部と、前記情報記録部の中央に設けられたドライブ孔と、前記カード型情報記録媒体の長手方向に相対して位置し、前記情報記録部の外周部分である一対の円弧状段差部と、前記カード型情報記録媒体の読み出し面と反対の面に設けられた化粧面と、前記カードにおける前記カード型情報記録媒体の情報読み出し面側に対する対向面に突起状にして設けられ、前記カード型情報記録媒体の円弧状段差部に係脱可能に係合する係止手段と、を有し、該係止手段を介して前記カードとカード型情報記録媒体が分離可能に取り付けられていることを特徴とするカード付カード型情報記録媒体を提供して、上記課題を解消するものである。
【０００６】
もう一つの発明は、カード型情報記録媒体と、その外周の形状が、前記カード型情報記録媒体の外周の形状と同一で、カード型情報記録媒体の情報読み出し面側の片面に重ね合わされたカードと、前記カード型情報記録媒体の読み出し面側に設けられた情報記録部と、前記情報記録部の中央に設けられたドライブ孔と、前記カード型情報記録媒体の長手方向に相対して位置し、前記情報記録部の外周部分である一対の円弧状段差部と、前記カード型情報記録媒体の読み出し面と反対の面に設けられた化粧面と、前記カードに設けられ、前記カード型情報記録媒体のドライブ孔と係脱可能に係合し、かつ、前記化粧面の色合いや模様などに連続する装飾が施された化粧円板と、を有し、該化粧円版を介して前記カードとカード型情報記録媒体が分離可能に取り付けられていることを特徴とするカード付カード型情報記録媒体であり、このカード付カード型情報記録媒体を提供して、上記課題を解消するものである。
【発明の効果】
【０００７】
以上説明した本発明により、カード型情報記録媒体の情報記録部をカードにて簡単に保護することができ、よって手持ちしたりする場合などに際して情報記録部に振れないようにするなどの注意を払う必要がなくなって、カード型情報記録媒体の取り扱いが簡単にすることができる。
また、カード型情報記録媒体側の条件に規制されることなく各種の手法を用いてカードに模様や情報などを設けることができ、カード型情報記録媒体の装飾性を高めて商品性を向上させるようになるとともに、カード自体の交換によって外観を変化させ易くなるなど、実用性に優れた効果を奏するものである。
【発明を実施するための最良の形態】
【０００８】
つぎに本発明を図１から図６に示す実施の形態に基づいて詳細に説明する。
図中１はカード付カード型情報記録媒体で、このカード付カード型情報記録媒体１は図示されているようにカード型情報記録媒体２とこのカード型情報記録媒体２の外周の形状に同一としたカード３とが重ね合わされているものである。
前記カード型情報記録媒体２自体は通常のカード型ＣＤ−ＲＯＭなどであって、片面を情報読み出し面側とし、情報記録部４を有して中央にドライブ孔５が設けられている。さらに前記情報記録部４におけるカード型情報記録媒体２の長手方向に相対する一対の外周部分は、８ｃｍＣＤ−ＲＯＭとドライブ孔同士を一致させたときのその８ｃｍＣＤ−ＲＯＭの外周部分に対応しており、その一対の外周部分に、８ｃｍＣＤ−ＲＯＭの外周形状に対応した円弧状段差部６が設けられている。そして、通常の１２ｃｍＣＤ−ＲＯＭなどをトレイに乗せ置くタイプのドライブ装置においては、トレイに８ｃｍＣＤ−ＲＯＭ用受け部があって、そのトレイにカード型情報記録媒体２をセットしたときに８ｃｍＣＤ−ＲＯＭ用受け部に前記円弧状段差部６が対応して位置決めを行なえるようにしているものである。
また、カード３は合成樹脂素材から成形されたものであり、略板状にしてカード型情報記録媒体２のドライブ孔５を覆っている。
【０００９】
図示されているように上記カード３におけるカード型情報記録媒体２の情報読み出し面側に対する対向面７の四ヶ所には、情報記録部４の上記円弧状段差部６に係脱可能に係合している突起状の係止手段８がカード３の板状部分と一体にして設けられていて、一つの円弧状段差部６に対して二つの係止手段８が対応している。このように前記係止手段８を、二つの対向している円弧状段差部６それぞれに係合させることで情報記録部４を覆って保護しており、必要に応じてカード型情報記録媒体２とカード３とを分離できるように重ね合わされている。
【００１０】
上述のようにカード型情報記録媒体２の情報読み出し面側にカード３が重ね合わされていることから、このカード付カード型情報記録媒体１を持ったり携帯したりした際に他の物品などが情報記録部４側にぶつかったり擦れたりすることがあっても、カード３で情報記録部４が保護され、そして、分離する際にも、何ら情報の存在しない円弧状段差部６から前記係止手段８が外れるだけであるため、情報記録部４を損傷させることなくカード３をカード型情報記録媒体２から容易に取り外すことができる。
また、一旦、分離されたカード３をカード型情報記録媒体２の情報読み出し面側に重ね合わせるに際しても、カード３とカード型情報記録媒体２との外周の形状が同じであることから両者の辺部相互を位置合わせしながら重ね合わせてから、カード３をカード型情報記録媒体２側に押し付けるようにすることで係止手段８それぞれが円弧状段差部６に係合するように設けられており、手間なく情報記録部４がカード３で保護された状態のカード付カード型情報記録媒体１が得られるようにしている。
【００１１】
上記実施の例では係止手段８を円弧状段差部６それぞれに二つずつ対応させているが、係止手段８が円弧状段差部６に係合してカード型情報記録媒体２とカード３とが分離可能に重ね合わされればよいものであって、円弧状段差部６に対する上記係止手段８の個数が限定されるものではない。
また、本発明における係止手段８は、上記円弧状段差部６に係脱可能に係合するものに限定されない。
【００１２】
図３と図４に示すように、カード３の対向面７に、カード型情報記録媒体２のドライブ孔５の対応してそのドライプ孔５に係脱可能に係合し、かつそのカード型情報記録媒体２の情報読み出し面とは反対側の化粧面１０（レーベル面）とほぼ面一となる化粧円板１１を配して、これを係止手段８とすることも可能である。そして、前記化粧円板１１には、前記化粧面１０の色合いや模様などに連続する装飾が施されていて、カード付カード型情報記録媒体１をカード型情報記録媒体２側から見た場合に前記ドライブ孔５の存在が強調されず、よって、カード型情報記録媒体２の外観が整えられるようにしているものである。
上記カード型情報記録媒体２の化粧面１０と化粧円版１１の上面とに連続した模様などを施す手法としては、例えば、前記化粧面１０と化粧円版１１の上面とに模様が施されていない状態でカード型情報記録媒体２とカード３とを重ね合わせて化粧円板１１の上面を化粧面１０と面一にし、この状態で印刷を行なえばよく、これによって化粧面１０と化粧円版１１の上面とに連続した模様などが形成できる。そして、前記印刷に際してはシルクスクリーン印刷やオフセット印刷が採用できる。
【００１３】
上述したいずれの例においても、カード３の対向面７とは反対側の面１２、即ち、カード型情報記録媒体２に重ね合わせた状態で表出する面は、模様ばかりでなく各種の情報を印字や印刷などにより設けた情報表示面として利用することができる。よって、カード型情報記録媒体２に対して重ね合わせるカード３を交換することで、表示する情報などを容易に変更させることができるようになる。勿論、カード３の対向面７に模様や各種情報を設けることも可能である。
【００１４】
上記カード付カード型情報記録媒体１ではカード型情報記録媒体２の情報読み出し面側にカード３を重ね合わせて上記情報記録部４が保護されていることから、カード付カード型情報記録媒体１を取り扱うに際して情報記録部４が汚れたり傷付けられることがなく、取り扱いが容易になる。
また、カード型情報記録媒体２およびカード３の外周の形状は、一般的に使用されている名刺やトレーディングカードなどと同じであり、上記実施の例にあっては例えばトレーディングカードのサイズに合わせて形成されているものである。そのため、トレーディングカード用として既に存在する収納ケースなどを利用することができ、カード付カード型情報記録媒体１の保管、管理が簡単になる。図５は一枚のトレーディングカードを収めるための一辺開放型のソフトケース１３に、図１と図２に示す例のカード３を備えたカード付カード型情報記録媒体１を入れる状態を示しており、また図６にあっては、９枚のトレーディングカードを配列して収納するフォルダー１４を、複数枚のカード付カード型情報記録媒体１を管理収納するために用いた状態を示していて、カード付カード型情報記録媒体１がトレーディングカードと同じ大きさであることから、前記フォルダー１４における収納部１５それぞれにカード付カード型情報記録媒体１を入れることができ、カード付カード型情報記録媒体用として専用の収納用具を作成する必要はない。図６の例ではカード３の面１２それぞれに装飾が施されている。
勿論、カード付カード型情報記録媒体が名刺サイズのものであってもよく、この場合にも名刺の収納管理用などとして既に存在する文房具用品や事務用品が、カード付カード型情報記録媒体の収納用具として利用することができる。
【００１５】
上記カード付カード型情報記録媒体１のカード型情報記録媒体２をドライブ装置にセットする際には、カード３を分離すればよく手間の要するものではない。また、カード３が重ね合わされた状態のままドライブ装置にセットしようとした場合でも、カード３が重ね合わされていることが容易に分かる。
即ち、ドライブ装置へのセット時において、ドライブ装置側の支持機構をドライブ孔に嵌め入れるタイプのものであれば、ドライブ孔自体がカード３により覆われていることから、カード３の存在に気が付くことになる。そして、ドーナツ状の一般のＣＤ−ＲＯＭなどをドライブ装置のトレイに乗せ置くタイプのものであれば、トレイ側に形成されているシングルＣＤ（８ｃｍＣＤ−ＲＯＭ）配置用の凹所形状にカード３の面１２の平滑な表面形状が対応せず、よってカード型情報記録媒体が浮いた状態となってカード３の存在に気付くことになる。このように本カード付カード型情報記録媒体は、カード型情報記録媒体の利用可能なドライブ装置のいずれのタイプにおいても、情報記録部が覆われた状態ではセットできないように設けられている。
【図面の簡単な説明】
【００１６】
【図１】本発明に係るカード付カード型情報記録媒体の第一の例をカード型情報記録媒体とカードとを分離した状態で示す説明図である。
【図２】カード型情報記録媒体とカードとの重ね合わせを図１のＡ−Ａ線に沿った断面で示す説明図である。
【図３】第ニの例をカード型情報記録媒体とカードとを分離した状態で示す説明図である。
【図４】第二の例におけるカード型情報記録媒体とカードとの重ね合わせを図３のＣ−Ｃ線に沿った断面で示す説明図である。
【図５】一枚のカード付カード型情報記録媒体の収納形態の例を示す説明図である。
【図６】複数枚のカード付カード型情報記録媒体の収納形態の例を示す説明図である。
【符号の説明】
【００１７】
１…カード付カード型情報記録媒体
２…カード型情報記録媒体
３…カード
４…情報記録部
５…ドライブ孔
６…円弧状段差部
８…係止手段
１１…化粧円板
【図１】
0003952029.tif 000002
【図２】
0003952029.tif 000003
【図３】
0003952029.tif 000004
【図４】
0003952029.tif 000005
【図５】
0003952029.tif 000006
【図６】
0003952029.tif 000007